(57)【要約】【課題】微小な特定箇所を劈開して断面を得ることができるゴルフ練習具の提供を提供する。【解決手段】拡幅の背当て部１１を有し、操作者の腰に調節自在に巻き付け可能な腰ベルト１０と、背当て部の外面１１ａに形成され、操作者の腰の周方向に沿って離間して配置された２個以上の係止具１３と、係止具のいずれか１つに着脱自在に結合する結合部２１が一端に形成され、他端に操作者の利き腕と反対の腕１００に装着する装着部３０が接続された伸長自在の弾性体２０とを備え、装着部は、腕の１以上の指１０１を挿入する環を有する指保持部３１と、腕の手首１０２の周りを保持する手首保持部３２とを備え、手首保持部を手首に保持した際に手首の小指側１０２ａで手首保持部が弾性体と接続されるゴルフ練習具１である。【選択図】図１
2010213759.tif 000002
【特許請求の範囲】
【請求項１】
拡幅の背当て部を有し、操作者の腰に調節自在に巻き付け可能な腰ベルトと、
前記背当て部の外面に形成され、前記操作者の腰の周方向に沿って離間して配置された２個以上の係止具と、
前記係止具のいずれか１つに着脱自在に結合する結合部が一端に形成され、他端に前記操作者の利き腕と反対の腕に装着する装着部が接続された伸長自在の弾性体とを備え、
前記装着部は、前記腕の１以上の指を挿入する環を有する指保持部と、前記腕の手首の周りを保持する手首保持部とを備え、前記手首保持部で前記手首を保持した際に該手首の小指側で前記手首保持部が前記弾性体と接続されるゴルフ練習具。
【請求項２】
前記背当て部の内面には、滑り止めが設けられている請求項１記載のゴルフ練習具。
【発明の詳細な説明】
【技術分野】
【０００１】
本発明は、ゴルフのスイングをトレーニングするためのゴルフ練習具に関する。
【背景技術】
【０００２】
従来からゴルフ等のスイングをトレーニングするため、腰部に腰ベルトを巻き付けると共に、腕に固定ベルトを巻き付け、これらの間にゴム紐等を連結して負荷を与える用具が多数開発されている（特許文献１〜５）。又、ゴルフのスイングにおいては、インパクト後に利き腕と反対の腕の回旋（リストターン及びアームローテーション）が重要であるとされており、手に回旋方向の付勢力を与える装着具が開発されている（特許文献６）。
【先行技術文献】
【特許文献】
【０００３】
【特許文献１】特表2008-513047号公報（図１３）
【特許文献２】実用新案登録第3137133号公報（図１）
【特許文献３】特開平8-131598号公報（図２）
【特許文献４】実開昭63-158370号公報（図２）
【特許文献５】米国特許第5704856号明細書
【特許文献６】特開2005-111155号公報（0006、図７）
【発明の概要】
【発明が解決しようとする課題】
【０００４】
しかしながら、操作者の体力や体格に応じ、ゴルフスイングのトレーニングに必要とされる負荷は異なり、従来の技術ではこの負荷を調整するのが困難であった。又、上記したインパクト後の腕の回旋をトレーニングするためには、スイングのトレーニングと同時に行うことが効果的であるが、スイングのトレーニングの際に腕の回旋のトレーニングを促進するための用具は開発されていない。
例えば、特許文献１の図１３には、ゴルフクラブのグリップエンドに弾性コネクタを接続することが記載されているに過ぎず、腕の回旋を十分にトレーニングすることができない。又、特許文献２、５には、保護パッドと絞り具で手首を締め付けることが記載されているに過ぎず、手首の向きを規制するには至らないため、やはり腕の回旋を十分にトレーニングすることができない。又、特許文献３，４には、腕の肘部を固定ことが記載されているに過ぎず、手首の向きを規制するには至らないため、やはり腕の回旋を十分にトレーニングすることができない。
さらに、特許文献２、５記載の技術の場合、単に手首を締め付ける構造のため、締付け具と手首との位置（締付け具とゴム紐の接続部分が手首の小指側か親指側か）によっては、スイング時に腕の回旋を妨げる向きにゴム紐の張力が作用することがある。
【０００５】
本発明は上記の課題を解決するためになされたものであり、ゴルフのスイングをトレーニングする際に、操作者の体力や体格に応じた適正な負荷を与えると共に、腕の回旋のトレーニングを促進し、回旋に悪影響を与えないゴルフ練習具の提供を目的とする。
【課題を解決するための手段】
【０００６】
上記の目的を達成するために、本発明のゴルフ練習具は、拡幅の背当て部を有し、操作者の腰に調節自在に巻き付け可能な腰ベルトと、前記背当て部の外面に形成され、前記操作者の腰の周方向に沿って離間して配置された２個以上の係止具と、前記係止具のいずれか１つに着脱自在に結合する結合部が一端に形成され、他端に前記操作者の利き腕と反対の腕に装着する装着部が接続された伸長自在の弾性体とを備え、前記装着部は、前記腕の１以上の指を挿入する環を有する指保持部と、前記腕の手首の周りを保持する手首保持部とを備え、前記手首保持部で前記手首を保持した際に該手首の小指側で前記手首保持部が前記弾性体と接続される。
【０００７】
このような構成とすると、操作者の体力や体格に応じ、弾性体と結合する係止具を選択することで、腰ベルトと装着部との間の弾性体の張力を調節し、スイング時に適正な負荷を与えることができる。
又、背当て部に係止具を設けているため、腰ベルトを腰に巻き付ける毎に操作者の背側に背当て部が位置する。このため腰ベルトを腰に巻き付ける際に腰に対する係止具の位置が変動して弾性体の張力が変化することがなく、常に適正な負荷をかけた正確なトレーニングを行える。
さらに、装着部の環に指を挿入することで手首と装着部との位置関係が一義的に決まるため、手首保持部で手首を保持した際、手首の小指側（尺骨側）が常に装着部と弾性体との接続位置になる。そのため、インパクト後にゴルフクラブを振り上げる際、弾性体の張力が腕を回旋するような力を与え、さらに回旋の妨げとなる張力を生じないため、腕の回旋のトレーニングを促進する効果が生じ、又、腕の回旋に悪影響を与えることがない。
【０００８】
前記背当て部の内面には、滑り止めが設けられていると好ましい。
このような構成とすると、腰ベルトの背当て部が拡幅なこととあいまって、操作者の腰の背側をより確実にホールドして滑りを防止するので、腰ベルトの位置が変わって腰ベルトと装着部との間の弾性体の張力が変動することがなく、常に適正な負荷をかけた正確なトレーニングを行える。
【発明の効果】
【０００９】
本発明によれば、ゴルフのスイングをトレーニングする際に、操作者の体力や体格に応じた適正な負荷を与えると共に、腕の回旋のトレーニングを促進し、回旋に悪影響を与えない。
【図面の簡単な説明】
【００１０】
【図１】本発明の実施形態に係るゴルフ練習具の構成例を示す図である。
【図２】ゴルフ練習具を装着した操作者がゴルフのスイングをトレーニングする状態を示す使用図である。
【図３】腰ベルトの内面（操作者の腰に対向する面）を示す図である。
【図４】装着部の外面を示す図である。
【図５】装着部を左腕に取り付ける態様を示す図である。
【図６】本発明の実施形態に係るゴルフ練習具によるインパクト前後の左腕へのゴム紐の付勢状態を示す図である。
【図７】本発明の実施形態に係るゴルフ練習具における装着部の変形例を示す図である。
【発明を実施するための形態】
【００１１】
以下、本発明の実施形態について、図面を参照して説明する。
図１は本発明の実施形態に係るゴルフ練習具１の構成例を示す図である。
ゴルフ練習具１は、複数の係止具１３を有して操作者の腰に巻き付けられる腰ベルト１０と、１つの係止具１３に結合部（取付フック）２１を介して接続された伸長自在の弾性体（ゴム紐）２０と、操作者の左腕（利き腕と反対の腕）１００に装着する装着部３０とを供え、装着部３０は取付フック２２を介してゴム紐２０に接続されている。
【００１２】
腰ベルト１０は伸縮性の合成繊維の布等から帯状に形成され、腰ベルト１０の右端の外面（以下、操作者に巻き付けられた状態で外側になる面を「外面」と称する）には、面ファスナーのループ状起毛部１７が縫付けられ、腰ベルト１０の左端の内面には面ファスナーのフック状起毛部１８が縫付けられている。そして、各起毛部１７、１８同士を押し付けることにより、操作者の腰の大きさに合わせて腰ベルト１０を調節自在に巻き付け固定可能になっている。
腰ベルト１０の中央部分には、腰ベルト１０の他の部分より拡幅の背当て部１１が形成され、操作者の腰の背側を確実にホールドするようになっている。又、背当て部１１の外面１１ａには係止具１３を取り付けるための帯部１２が縫付けられ、操作者の腰の周方向に沿い、帯部１２と背当て部１１の外面１１ａとの間にＤ字リング状の３個の係止具１３をそれぞれ等間隔に離間して挟持している。
【００１３】
ゴム紐２０は、複数本の細いゴム紐体を細長いゴム袋内に収容した構造をなし、両端にはそれぞれプラスチック製鉤爪状の取付フック２１、２２が接続されている。取付フック２１の開口部には脱落防止のための舌片状の可撓性の押え板２１ａが開閉自在に取り付けられている。そして、可撓性押え板２１ａを係止具１３に押付け、取付フック２１を係止具１３に引っ掛けると、押え板２１ａが戻って取付フック２１の開口部を閉じ、取付フック２１が係止具１３から脱落するのを防止している。又、取付フック２１は軸方向に回転する回転部２１ｂを介してゴム紐２０に取り付けられ、操作者がゴルフのスイングをトレーニングする際の動きを妨害しないようになっている。取付フック２２も取付フック２１と同一の構造をなしている。
【００１４】
装着部３０は伸縮性の合成繊維の布等から帯状に形成され、装着部３０の一端には操作者の左腕１００の親指１０１を挿入する環３１ａが形成され、この一端が指保持部３１を構成している。又、指保持部３１を除く装着部３０は、左腕１００の手首１０２に巻き付ける手首保持部３２を構成し、手首保持部３２の外面には長手方向に沿って面ファスナーのループ状起毛部３７が縫付けられている。一方、装着部３０の他端には、面ファスナーのフック状起毛部３８が縫付けられ、各起毛部３７、３８同士を押し付けることにより、操作者の手首１０２の太さに合わせて手首保持部３２を調節自在に手首に巻き付け固定可能になっている。
又、装着部３０の上記他端のうち、フック状起毛部３８より内側の外面には係止具３３を取り付けるための図示しない帯部３５が縫付けられ、帯部３５のループ状の折り返し部にＤ字リング状の１個の係止具３３が挟持されている。後述するように、手首保持部３２を手首１０２に巻き付けた際、手首１０２の小指側（尺骨側）１０２ａに係止具３３が位置するようになっている。そして、係止具３３に取付フック２２を引っ掛けることにより、該小指側１０２ａで手首保持部３２がゴム紐２０と接続されるようになっている。
【００１５】
図２は、ゴルフ練習具１を装着した操作者がゴルフのスイングをトレーニングする状態を示す使用図である。操作者は、腰ベルト１０を腰に巻き付け、背側の係止具１３に接続されたゴム紐２０を左腰から回し、ゴム紐２０先端の装着部３０を左腕１００に装着する。なお、この例では、左腰から最も遠い位置の係止具１３に結合部２１を取り付けている。
操作者がゴルフクラブを構えてバックスイングすると、操作者の腰に巻き付けた腰ベルト１０と、左腕１００に装着された装着部３０との間に接続されたゴム紐２０が伸び、張力が発生する（図２（ａ））。これにより、それ以上ゴルフクラブを振り上げるオーバースイングが抑制され、適正なトップ位置で止まるようになる。又、この張力により、スイング力を強化する。
この状態で、ダウンスイングすると、操作者の腕と腰の距離が離れすぎるとゴム紐２０に強い張力が生じるので、腰と腕との適度な距離を保つよう強制され、正確なスイング動作をトレーニングすることができる。又、ゴム紐２０の張力により、スイングスピードを高めたトレーニングをすることができる。そして、インパクトした後、ゴルフクラブを振り上げてフィニッシュする（図２（ｂ））。
【００１６】
本発明においては、腰ベルト１０の背当て部１１の外面に、操作者の腰の周方向に沿って離間して２個以上の係止具１３を設け、係止具１３のいずれか１つに着脱自在に弾性体２０の結合部２２を結合することができる。このため、操作者の体力や体格に応じて係止具１３を選択することで、腰ベルト１０と装着部３０との間のゴム紐２０の張力を調節して適正な負荷を与えることができる。
又、背当て部１１に係止具１３を設けているため、腰ベルト１０を腰に巻き付ける毎に操作者の背側に背当て部１１が位置する。このため腰ベルト１０を腰に巻き付ける際に腰に対する係止具１３の位置が変動してゴム紐２０の張力が変化することがなく、常に適正な負荷をかけた正確なトレーニングを行える。
ここで、詳しくは後述するが、インパクト後にゴルフクラブを振り上げる際、ゴム紐２０の張力が左腕１００を回旋（リストターン及びアームローテーション）するような力を与え、さらに回旋の妨げとなる張力を生じないため、左腕の回旋のトレーニングを促進する効果が生じ、又、回旋に悪影響を与えることがない。
【００１７】
図３は、腰ベルト１０の内面（操作者の腰に対向する面）を示す。背当て部１１内面には、腰の周方向に沿って波線状に２本のゴム部（滑り止め）１５が接着され、操作者の腰との間で腰ベルト１０が滑るのを防止している。
又、背当て部１１の外側の腰ベルト１０の内面にも、網目状のゴム材からなる第２の滑り止め１６が熱圧着されている。
このように、滑り止め１５（１６）を設けると、腰ベルト１０の背当て部が拡幅なこととあいまって、操作者の腰の背側をより確実にホールドして滑りを防止するので、腰ベルト１０の位置が変わって腰ベルト１０と装着部３０との間のゴム紐２０の張力が変動することがなく、常に適正な負荷をかけた正確なトレーニングを行える。
【００１８】
図４は、装着部３０の外面を示す。装着部３０の中央に位置する手首保持部３２から指保持部３１に向かって幅狭になっていると共に、フック状起毛部３８側に向かって幅狭になっている。フック状起毛部３８は、起毛面を装着部３０の内面に向けて装着部３０の端部に縫付けられている。一方、ループ状起毛部３７は手首保持部３２の外面の長手方向に沿って縫付けられている。係止具３３は、手首保持部３２の長手方向に沿ってループ状起毛部３７とフック状起毛部３８の間に１個だけ配置されている。
指保持部３１の環３１ａから係止具３３に至る手首保持部３２の長さが一定であり、環３１ａに親指１０１を挿入することで手首１０２と装着部３０との位置関係が一義的に決まるため、以下に述べるように、手首保持部３２を手首１０２に巻き付けた際、手首１０２の小指側（尺骨側）１０２ａに係止具３３が常に位置するようになる。
【００１９】
図５は、装着部３０を左腕１００に取り付ける態様を示す。まず、指保持部３１の環３１ａに親指１０１を通し、小指側へ向かって手首保持部３２を手首１０２に巻き付ける（図５（ａ））。そして、手首保持部３２の先端のフック状起毛部３８をループ状起毛部３７に被せるようにすると（図５（ｂ））、環３１ａから係止具３３までの長さが一定で、かつ環３１ａに親指１０１を挿入することで手首１０２と装着部３０との位置関係が一義的に決まるため、装着部３０を取り付ける毎に、係止具３３が手首１０２の小指側（尺骨側）１０２ａに常に位置する（図５（ｃ））。
【００２０】
次に、図６を参照し、本発明の実施形態に係るゴルフ練習具によるインパクト前後の左腕１００へのゴム紐２０の付勢状態を説明する。図２（ａ）に示すようにバックスイングすると、手首１０２の小指側に位置する係止具３３は下向きになり、ゴム紐２０の張力Ｆ１によって手首１０２の小指側が下方に付勢される。つまり、この状態では、左腕１００の回旋を促す張力は生じない（図６（ａ））。
一方、図２（ｂ）に示すように、インパクト後にゴルフクラブを振り上げてフィニッシュすると、手首１０２の小指側がゴム紐２０の張力Ｆ２によって引っ張られ、左腕１００の半時計方向Ｄへのトルクが発生して腕の回旋が促される。
これに対し、例えば単に装着部を手首に巻き付けるだけの従来のゴルフ練習具の場合、装着部の係止具の位置によっては（例えば、手首の親指側に係止具が向いた状態）、インパクト後に、左腕の半時計方向への回旋を妨げる向きにトルクが発生するよう、ゴム紐で引っ張られる可能性があり、腕の回旋に悪影響をもたらす恐れがある。
【００２１】
本発明においては、手首１０２の小指側（尺骨側）１０２ａに常に係止具３３が位置した状態で、インパクト後にゴム紐２０で引っ張られるため、上記したように左腕１００を回旋（リストターン及びアームローテーション）するような力が働き、さらに回旋の妨げとなる張力を生じない。このため、左腕の回旋のトレーニングを促進する効果が生じ、又、回旋に悪影響を与えないという効果を生じる。
【００２２】
図７は、本発明の実施形態に係るゴルフ練習具１における装着部の変形例を示す。図７において、装着部３００は帯状であり、両端にはそれぞれフック状起毛部３０８とループ状起毛部３０７が縫いつけられている。そして、左腕１００の手首の甲付近で各起毛部３０７、３０８を同士を押し付けることにより、操作者の手首の太さに合わせて装着部３００を調節自在に巻き付け固定可能になっている。
又、装着部３００の右端側の上辺から指保持部３０１が上側に延設され、指保持部３０１の中央には親指１０１を挿入する環３０１ａが形成されている。一方、装着部３００の左端側の所定位置（手首１０２の小指側１０２ａ）には係止具３０３が取り付けられている。なお、指保持部３０１以外の装着部３００が手首保持部３０２を構成している。
装着部３００においても、環３０１ａから係止具３０３に至る手首保持部３２の長さが一定で、かつ環３０１ａに親指１０１を挿入することで手首１０２と装着部３００との位置関係が一義的に決まるため、装着部３００を手首１０２に装着した際、小指側（尺骨側）１０２ａに係止具３０３が位置するようになる。
【００２３】
なお、装着部３０、３００において、手首の太さに応じて、係止具３３、３０３の位置が若干変化するが、手首の太さの変化は腰の太さの変化に比べてそれほど大きくないので、親指１０１の位置に環３１ａ、３０１ａが来ることにより、係止具３３、３０３の位置も小指側（尺骨側）１０２ａ近傍になる。
ここで、係止具の位置を厳密に小指側（尺骨側）１０２ａに合わせたい場合には、例えば、係止具３３を保持する帯部３５を面ファスナー等で手首保持部３２に取付けるようにし、係止具３３が小指側（尺骨側）１０２ａに位置するように帯部３５の位置を調節すればよい。さらに、腰ベルト１０の係止具１３と同様に、手首保持部３２の係止具３３を異なる位置に複数取付けておき、小指側（尺骨側）１０２ａに丁度位置する１個の係止具３３を選んで、ゴム紐２０の取付フック２２に接続してもよい。
【００２４】
本発明は上記実施形態に限定されず、本発明の思想と範囲に含まれる様々な変形及び均等物に及ぶことはいうまでもない。
腰ベルトや装着部の取り付けは、上記した面ファスナーに限定されず、例えばバックルとベルト穴で長さを調節してもよい。腰ベルトの係止具と弾性体の結合部との接続方法も、上記したリングとフックに限定されない。弾性体についても、ゴム紐に限定されず、例えばスプリング等を用いてもよい。
又、取付フック２２の代わりに、取外しできないリング等によって装着部３０がゴム紐２０に接続されていてもよい。
【００２５】
操作者が左利きの場合、装着部は操作者の右腕に装着するように構成されればよい。さらに、装着部の指保持部は、操作者の腕の親指を挿入するものでなくてもよく、例えば人指指と中指を挿入するものであってもよい。
又、本発明において装着部は、手首との位置関係を一義的に決めるものであれば上記に限定されず、例えば装着部を手袋やグローブ状としてもよく、指無しの手袋としてもよい。
【符号の説明】
【００２６】
１                          ゴルフ練習具
１０                        腰ベルト
１１                        背当て部
１１ａ                      背当て部の外面
１３                        係止具
１５，１６                  滑り止め
２０                        弾性体
２１                        結合部（取付フック）
３０                        装着部
３１                        指保持部
３２                        手首保持部
１００                      利き腕と反対の腕
１０１                      指
１０２                      手首
１０２ａ                    手首の小指側
【図１】
2010213759.tif 000003
【図２】
2010213759.tif 000004
【図３】
2010213759.tif 000005
【図４】
2010213759.tif 000006
【図５】
2010213759.tif 000007
【図６】
2010213759.tif 000008
【図７】
2010213759.tif 000009